(57)【要約】  【課題】  空気調和機の換気装置を外壁に確実に取り付けることを可能にし、また換気装置の外壁への取付作業の簡略化を図ること。  【解決手段】  壁を下向きに傾斜して貫通したスリーブ６を取付ベース体１４の挿通孔１０に挿通し、雌ねじ１５Ａが内面に形成された固定用キャップ５を雄ねじ６Ａが形成されたスリーブ６に螺合させ、フランジ７との間に前記壁及び前記取付ベース体１４を挟み取付ベース体１４を前記壁の外面に固定すると共に、取付ベース体１４に換気ユニット本体３０を取り付け、さらに換気ユニット本体３０を覆う給気カバー４２を取り付ける。  【選択図】  図１
2005291518.tif 000002
【特許請求の範囲】
【請求項１】
室外空気を取り込んで室内を換気する或いは室内空気を室外に排出して室内を換気する空気調和機の換気装置において、外周面にねじ部が形成されたスリーブ及びこのスリーブの一端に形成されたフランジを有し家屋の外壁の室内側面に前記フランジが当接した状態では前記スリーブが所定角度低く傾斜して換気用空気を通すためのスリーブ体と、前記壁を挿通した前記スリーブの他端が挿通する挿通孔が形成された取付ベース体と、前記スリーブのねじ部に他端側から螺合するねじ部が形成され前記フランジとの間に前記壁及び前記取付ベース体を挟み前記取付ベース体を前記壁の外面に固定する固定用キャップと、前記取付ベース体に取り付けられる換気ユニットとを備えたことを特徴とする空気調和機の換気装置。
【請求項２】
前記取付ベース体を前記スリーブの他端が挿通する挿通孔が形成されると共にこの挿通孔を形成する壁面周囲に所定の間隔毎に凹凸を有した一方のかみ合わせ部が形成された第１の取付ベースと、この第１の取付ベースの挿通孔に挿通された前記スリーブの他端が挿通する挿通孔が形成されると共に一方の面が前記スリーブ体の傾斜に対応した傾斜面とされ該傾斜面の開孔を形成する壁面の周囲には前記一方のかみ合わせ部とかみ合う他方のかみ合わせ部が形成され他方の面に前記固定用キャップが当接する前記スリーブとほぼ直角をなす当接面が形成された第２の取付ベースとから構成したことを特徴とする請求項１に記載の空気調和機の換気装置。
【請求項３】
前記第２の取付ベースの前記当接面に上部を示すマークを設けたことを特徴とする請求項２に記載の空気調和機の換気装置。
【発明の詳細な説明】
【技術分野】
【０００１】
本発明は、壁の戸外側面に取り付けられ室内に設けられた空気調和機と連通して換気を行う換気装置に関するものであり、詳述すると、壁に形成された孔を介して空気調和機と連通する換気装置に関する。
【背景技術】
【０００２】
この種の換気装置は、換気用室外ファン及びこのファンを収納したカバーを家屋の外壁の外面に取り付け、換気用室外ファンを空気調和機の室内機に換気管により配管接続している換気装置が本願の出願人が出願した例えば特許文献１などに記載されている。そして、換気管は外壁に形成された挿通孔を挿通し、また室内機と空気調和機の室外機との間に配管接続される冷媒配管及び室内機に接続されたドレン管が挿通孔を貫通し、外壁外側にてカバーに覆われる。
【特許文献１】特願２００４−４５３７１号の特許願に添付した明細書及び図面
【発明の開示】
【発明が解決しようとする課題】
【０００３】
しかしながら、このような従来の換気装置においては、換気用室外ファン及びカバーを外壁の戸外側の面にビスを使用して取り付けていたため、外壁の状態、すなわち外壁の戸外側の強度が不十分なときには、換気用室外ファン及びカバーをビスにて外壁に確実に取り付けらないという問題が発生する。
【０００４】
また、換気用室外ファン及びカバーを外壁にビス止めするときに、取付部周囲の外壁に取り付けの障害になるものが取り付けられていた場合、あるいは周囲の作業空間が充分でない場合には、取付作業が煩雑になるという問題が発生する。
【０００５】
そこで本発明は、空気調和機の換気装置を外壁に確実に取り付けることを可能にし、また換気装置の外壁への取付作業の簡略化を図ることを目的とする。
【課題を解決するための手段】
【０００６】
このため第１の発明は、室外空気を取り込んで室内を換気する或いは室内空気を室外に排出して室内を換気する空気調和機の換気装置において、外周面にねじ部が形成されたスリーブ及びこのスリーブの一端に形成されたフランジを有し家屋の外壁の室内側面に前記フランジが当接した状態では前記スリーブが所定角度低く傾斜して換気用空気を通すためのスリーブ体と、前記壁を挿通した前記スリーブの他端が挿通する挿通孔が形成された取付ベース体と、前記スリーブのねじ部に他端側から螺合するねじ部が形成され前記フランジとの間に前記壁及び前記取付ベース体を挟み前記取付ベース体を前記壁の外面に固定する固定用キャップと、前記取付ベース体に取り付けられる換気ユニットとを備えたことを特徴とする。
【０００７】
第２の発明は、第１の発明において、前記取付ベース体を前記スリーブの他端が挿通する挿通孔が形成されると共にこの挿通孔を形成する壁面周囲に所定の間隔毎に凹凸を有した一方のかみ合わせ部が形成された第１の取付ベースと、この第１の取付ベースの挿通孔に挿通された前記スリーブの他端が挿通する挿通孔が形成されると共に一方の面が前記スリーブ体の傾斜に対応した傾斜面とされ該傾斜面の開孔を形成する壁面の周囲には前記一方のかみ合わせ部とかみ合う他方のかみ合わせ部が形成され他方の面に前記固定用キャップが当接する前記スリーブとほぼ直角をなす当接面が形成された第２の取付ベースとから構成したことを特徴とする。
【０００８】
第３の発明は、第２の発明において、前記第２の取付ベースの前記当接面に上部を示すマークを設けたことを特徴とする。
【発明の効果】
【０００９】
本発明は、空気調和機の換気装置を外壁に確実に取り付けることを可能にし、また換気装置の外壁への取付作業の簡略化を図ることができる。
【発明を実施するための最良の形態】
【００１０】
以下、本発明の実施の形態を図に基づき説明する。先ず、室外空気を取り込んで室内を換気することができると共に室内空気を室外に排出して室内を換気することができる空気調和機の換気装置の取付用治具の取り付け状態を説明する斜視図である図１乃至図４において、１は取付用の治具であり、この取付用の治具１はスリーブ体２、第１の取付ベース３、リング状の第２の取付ベース４及び固定用キャップ５とから構成されている。
【００１１】
前記スリーブ体１は例えば硬質合成樹脂材料あるいは金属にて形成され、このスリーブ体１は外周に雄ねじ６Aが形成された円筒状のスリーブ６と、このスリーブ６の一端部に外方に広がったフランジ７とを備えている。家屋の外壁の室内側面にフランジ７が当接した状態では、スリーブ６が所定角度低く傾斜するようにスリーブ６とフランジ７とは一体に形成されている。
【００１２】
また、前記第１、第２の取付ベース３、４は何れも合成樹脂材料にて形成され、第１の取付ベース３の端部には円柱状の凹部８が形成され、この凹部８の底面９の中央にはスリーブ６が挿通する挿通孔１０が形成され、また第１の取付ベース３の外周部には例えば５個のビス止め孔２０が形成されている。
【００１３】
前記第２の取付ベース４には前記スリーブ６が挿通する開口１２が形成され、該第２の取付ベース４は後述するように複数のビスにて前記第１の取付ベース３に固定される。この第２の取付ベース４は、第１の取付ベース３側の面である一方の面４ａが前記フランジ７に対するスリーブ６の傾斜角度（例えば、５度程度）に対応した傾斜面に形成され、外側の面である他方の面（以下、「当接面」という。）４Ａと一方の面である傾斜面４ａとの間に所定の角度を存して形成され、この結果その厚さ（当接面４Ａと傾斜面４ａとの間隔）が上部から下部へ向け次第に薄くなるように形成されている。そして、第１の取付ベース３と第２の取付ベース４とで、取付ベース体１４が構成される。
【００１４】
以下、取付ベース体１４の構成について、図２及び図３に基づき、さらに詳細に説明する。
【００１５】
前記第１の取付ベース３の挿通孔１０を形成する壁面の端部周縁には凹部８内に突出した所定の間隔毎に繰り返し凹凸を有した一方のかみ合わせ部１１が形成されている（図２参照）。さらに、かみ合わせ部１１の外側の底面９には所定間隔を存して複数、例えば６個の固定用孔１３がかみ合わせ部１１に沿って形成されている。
【００１６】
また、第２の取付ベース４の開口１２を形成する面の端部周縁には前記かみ合わせ部１１に対応して所定の間隔毎に繰り返し凹凸を有した他方のかみ合わせ部１８が形成され、かみ合わせをずらすことにより、例えば１０度ずつ第１の取付ベース３に対する第２の取付ベース４の位置を下１８０度の範囲でずらすことができる。また、第２の取付ベース４の当接面４Ａの最上部、すなわち厚さが最も厚い箇所には、例えば上向矢印のマーク４Ｂが設けられている。また、裏面には等間隔にて３箇所に一対ずつビス止め孔１９、１９が形成されている（図３参照）。さらに、当接面４Ａの上部には、マーク４Ｂを挟み間隔を存して一対のビス止め孔２１、２１が形成されている
そして、第１の取付ベース３に第２の取付ベース４を取り付けるときには、図２に示した如く、先ず第２の取付ベース４の最も厚い部分、即ち最上部であるマーク４Ｂを確認し、このマーク４Ｂが上に位置するように第２の取付ベース４を第１の取付ベース３に対して位置決めする。このように位置決めすることにより、凹部８を上にして長手方向が上下方向となるように位置させた状態（以下、「垂直状態」という。）の第１の取付ベース３に対して、第２の取付ベース４が下向きに傾斜した状態で位置決めされ、一方のかみ合わせ部１１と他方のかみ合わせ部１３とをかみ合わせた状態で、図３に示した如く第１の取付ベース３の裏から３本のビス２２を固定用孔１３に通しビス止め孔１９にねじ込むことにより、第１の取付ベース３に第２の取付ベース４を取り付け固定する。これにより、取付ベース体１４が組立てられる。
【００１７】
前記固定用キャップ５は例えば硬質合成樹脂材料あるいは金属にて形成され、中央には前記スリーブ６が挿通する挿通孔（以下、「キャップ挿通孔」という。）１５が形成され、この挿通孔１５を形成する内面にはスリーブ６の雄ねじ６Ａに対応して雌ねじ１５Aが形成されている。また、固定用キャップ５の外周には、凹凸状の支持部１６が形成されている。
【００１８】
以下、スリーブ体２及び取付ベース体１４を図示しない壁、例えば家屋の外壁に取り付けるときの作業について説明する。まず、フランジ７を室内側にし、スリーブ体２を室内側から戸外側に外壁に形成された開孔に挿通する。このとき、外壁の開孔は室内側から戸外側へ向け下方に傾斜して形成されており、家屋の外壁の室内側面にフランジ７が当接した状態では、スリーブ６が戸外へ向け下方へ傾斜して開孔に挿通する。スリーブ６の寸法は外壁の厚さ寸法より大きく、スリーブ６の他端は外壁から戸外へ突出する。
【００１９】
次に、家屋の外壁より外方へ突出したスリーブ６の突出部１７を第１の取付ベース３の挿通孔１０に挿通し、外壁の戸外側の面に第１の取付ベース３を凹部８を上にして長手方向が上下方向となるように位置させる。このとき、図１に図示した如く、第１の取付ベース３は垂直であり、取付ベース体１４は外壁に対しては直角であり、第２の取付ベース４はその厚い部分が上部になるように第１の取付ベース３に対して取付けられているため、当接面４Ａはスリーブ６とほぼ直角関係になる。
【００２０】
次に、作業者は前記固定用キャップ５をスリーブ６に対向させ、支持部１６をつかんで雌ねじ１５Ａとスリーブ６の雄ねじ６Ａとを螺合させ、固定用キャップ５を図１に矢印Ａにて示した方向に回転させる。このように固定用キャップ５を回転させることにより、固定用キャップ５の内面が第２の取付ベース４の当接面４Ａに当接して取付ベース体１４を外壁方向へ押圧する。
【００２１】
この固定用キャップ５の回転により、スリーブ６の端部は固定用キャップ５のキャップ挿通孔１５を介して外側に突出すると共に、取付ベース体１４及び外壁は固定用キャップ５とフランジ７との間に挟まれ、第１の取付ベース３は第２の取付ベース４を介して固定用キャップ５により外壁に押し付けられ固定される。そして、スリーブ６の固定用キャップ５より突出している部分は切断される。そして、スリーブ体２も外壁の挿通孔に固定され、外壁の硬度が不十分あるいは軟らかく、その状態がビス止めに適してないような場合にも、複数のビスなどを使用することなく、取付ベース体１４を外壁に容易に固定することが可能になる。
【００２２】
なお、図１などに示す如く、前記スリーブ６に螺合される固定用キャップ５には第２の取付ベース４に形成されたビス止め孔２１、２１に対応して所定角度毎に等間隔を存して複数の長穴２４が形成されている。そして、図４に示す如く、固定用キャップ５の回転状態が何れの場合においても、固定用キャップ５の何れかの長穴２４を第２の取付ベース４のビス止め孔２１に対向させることができ、ビス２３をスリーブ６に螺合された固定用キャップ５の長穴２４を通してビス止め孔２１に容易にねじ込むことができる。このようにビス２３を長穴２４を介してねじ込むことにより、ビス２３の頭部が長穴２４内に位置して、ビス２３が固定用キャップ５の回り止め部材として作用し、締め付けた固定キャップ５がその後に回転することを回避することができる。
【００２３】
また、このとき、第１の取付ベース３の凹部８の外周の直径は固定用キャップ５の直径より大きいため、図４に示されているように、固定用キャップ５は凹部８内に収まり、固定用キャップ５が第１の取付ベース３から突出することを回避でき、後述する換気ユニット本体３０を取付ベース体１４に取り付けるときに、固定用キャップ５が取り付けの障害になることを防止できる。
【００２４】
図５及び図６において、３０は換気ユニット本体であり、この換気ユニット本体３０はユニットベース３１、シロッコファン３２、シロッコファン駆動用のモータ（図示せず）、ファンケース３４などから構成されている。また、ユニットベース３１の周縁に形成されたフランジ３５には、上記ビス止め孔２０に対応して複数箇所にビス挿通孔３６が形成されると共に、後述する給気カバー用のビス止め孔３７が左右に２個ずつ形成されている。さらに、ファンケース３４には空気給排口３８、３９が形成されている。
【００２５】
そして、換気ユニット本体３０を取付ベース体１４に取り付けるときには、複数のビス４１をビス挿通孔３６に通し、ビス止め孔２０にねじ込むことにより、換気ユニット本体３０を第１の取付ベース３に固定することができる。
【００２６】
４２は給気カバーであり、給気カバー４２は例えば合成樹脂材料にて形成されている。家屋の外壁側及び底面が開口した給気カバー４２の外壁側開口の周縁部に形成された段部４３には、換気ユニット本体３０のビス止め孔３７に対応して複数の凹部４４が形成され、各凹部４４の底部にビス挿通孔４５が形成されている。また、給気カバー４２の底面は開口しており、換気ユニット本体３０の底面開口を介して、後述する冷媒管、ドレン管などを下方へ延出させている。
【００２７】
そして、図６に示した如く、ビス４６をビス挿通孔４５に通し、ビス止め孔３７にねじ込むことにより、給気カバー４２がユニットベース３１に固定される。この換気ユニット本体３０と給気カバー４２とで換気ユニットが構成される。
【００２８】
このように、家屋の外壁に取付ベース体１４を固定することにより、取付ベース体１４を利用し、換気ユニット本体３０及び給気カバー４２を外壁に容易に取り付けることが可能になる。
【００２９】
図７は、空気調和機の図示しない室外機と冷媒管により接続される室内機５０の斜視図であり、５１はケース、５２はケース５１の前部に設けられ室内空気の吸込口を備えた吸込パネル、５３はケース５１内に配設され冷媒がその伝熱管５４を流れることにより冷房または除湿運転時には冷却器として機能し、暖房運転時には加熱器として機能する熱交換器である。また、５５はクロスフローファンなどの送風ファンであり、この送風ファン５５の運転より、室内の空気が吸込パネル５２を介して内部に吸込まれ、熱交換器５３にて熱交換し、冷却あるいは加熱された空気が室内に吹き出される。
【００３０】
また、５６は熱交換器５３の下方に配設されたドレンパンであり、このドレンパン５６は熱交換器５３で結露して滴下するドレン水を受け溜め、溜まったドレン水は図示しないドレン管を流れて家屋外部へ排出される。
【００３１】
さらに、５７は換気用空気の通路としての換気管、５８は換気用室内ファン、６０はファンケース、６１は吸込口であり、換気管５７の一端は換気用室内ファ５８の吹出口６２に接続され、他端は前記スリーブ体２を通り換気ユニット本体３０の空気給排口３９に接続されている（図５参照）。また、換気管５７の途中にはフィルタ６３が設けられている。
【００３２】
以上のように、室内機５０の換気用室内ファン５８と換気ユニット本体３０とを換気管５７により接続することにより給排換気装置が構成される。そして、換気用室内ファン５８を運転したときには、吸込口６１から室内空気が吸い込まれ、スリーブ体２内の換気管５７を通り、換気ユニット本体３０の吸込口としての空気給排口３９及び吹出口としての空気給排口３８を介して給気カバー４２内を流れ、給気カバー４２の底面に形成された図示しない給排気口から外部に排出され、室内の換気が行われる。
【００３３】
また、換気ユニットを運転したとき、すなわち、モータを運転しシロッコファン３２を運転したときには、外気が前記給排気口から給気カバー４２内を通り空気給排口３８に吸い込まれ、スリーブ体２内の換気管５７を通り吸込口６１を吹出口として室内へ吹き出され、室内の換気が行われる。
【００３４】
なお、換気管５７の他に冷媒管及びドレン管がスリーブ６内に通され、給気カバー４２内の空間を通り、給気カバー４２の底面に開設された前記給排気口から下方に延出される。
【００３５】
また、外壁の周囲の状況などにより、図８あるいは図９に示した如く、第１の取付ベース３を図４に示したような垂直に固定する状態から反時計方向あるいは時計方向にほぼ９０度回転させずらした状態で外壁に固定するときにも、第２の取付ベース４の厚い部分が上部にくるように位置させる。そして、一方のかみ合わせ部１１と他方のかみ合わせ部１８とをかみ合わせた状態で固定する。
【００３６】
このように、取付ベース体１４の向きに応じて、第１の取付ベース３に対する第２の取付ベース４の取り付け位置をずらすことにより、取付ベース体１４が垂直であるときと同様に、第２の取付ベース４の厚い部分を常に上側に位置させることができる。このため、取付ベース体１４を垂直方向から左右いずれかの水平方向まで回転させた状態においても、当接面４Ａをスリーブ６に対して常に直角にすることができ、この結果、上記の如く固定用キャップ５を当接面４Ａのほぼ全面に当接させ、均一に第２の取付ベース４を押圧することができ、取付ベース体１４を外壁に確実に固定することができる。
【００３７】
また、取付ベース体１４の向きに応じて、第１の取付ベース３に対する第２の取付ベース４の取り付け位置をずらした場合にも、作業者がマーク４Ｂを確認することにより、取付ベース体１４が垂直であるときと同様に、第２の取付ベース４の厚い部分を常に容易に上側に位置させることができる。また、ビス止め孔２１、２１を第２の取付ベース４の上部を示すマークとして兼用することもできる。
【００３８】
さらに、図１などに示す如く、スリーブ６に螺合された固定用キャップ５には第２の取付ベース４に形成されたビス止め孔２１、２１に対応して所定角度毎に等間隔を存して複数の長穴２４が形成されている。そして、図４に示す如く、固定用キャップ５の回転状態が何れの場合においても、何れかの長穴２４をビス止め孔２１に対向させることができ、ビス２３をスリーブ６に螺合された固定用キャップ５の長穴２４を通してビス止め孔２１に容易にねじ込むことができる。このようにビス２３を長穴２４を介してねじ込むことにより、ビス２３が固定用キャップ５の回り止め部材として作用し、締め付けた固定キャップ５がその後に回転することを回避することができる。
【００３９】
なお、上記実施の形態においてスリーブ６に通される換気管５７を換気用空気の通路としたが、スリーブ６の内部自体を換気用空気の通路としてもよい。
【００４０】
また、本発明は室外空気を取り込んで室内を換気することができると共に室内空気を室外に排出して室内を換気することができる空気調和機の換気装置を実施形態として説明したが、室外空気を取り込んで室内を換気する空気調和機の換気装置や、室内空気を室外に排出して室内を換気する空気調和機の換気装置にも適用できるものである。
【００４１】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００４２】
【図１】取付ベース体のスリーブ体への固定状態を説明する斜視図である。
【図２】第１の取付ベースに対する第２の取付ベースの取付状態を説明する斜視図である。
【図３】第１の取付ベースに対する第２の取付ベースの取付状態を説明する背面からの斜視図である。
【図４】固定用キャップの固定を説明する取付用の治具斜視図である。
【図５】換気ユニット本体の取付状態を説明する斜視図である。
【図６】給気カバーの取付状態を説明する斜視図である。
【図７】室内機の斜視図である。
【図８】取付ベース体を反時計方向に９０度回転させたときのスリーブ体との関係を示す斜視図である。
【図９】取付ベース体を時計方向に９０度回転させたときのスリーブ体との関係を示す斜視図である。
【符号の説明】
【００４３】
１              給排換気装置
２              スリーブ体
３              第１の取付ベース
４              第２の取付ベース
４Ａ            当接面
４Ｂ            マーク
５              固定用キャップ
６              スリーブ
６Ａ            雄ねじ
７              フランジ
１０            挿通孔
１１            一方のかみ合わせ部
１２            開口
１８            他方のかみ合わせ部
１４            取付ベース体
１５            挿通孔
１５Ａ          雌ねじ
３０            換気ユニット本体
３１            ユニットベース
３２            シッロコファン
４２            給気カバー
５０            室内機
【図１】
2005291518.tif 000003
【図２】
2005291518.tif 000004
【図３】
2005291518.tif 000005
【図４】
2005291518.tif 000006
【図５】
2005291518.tif 000007
【図６】
2005291518.tif 000008
【図７】
2005291518.tif 000009
【図８】
2005291518.tif 000010
【図９】
2005291518.tif 000011